(57)【要約】【課題】ＰＣ３０からスキャナ装置での複数ページ原稿の読み取り設定が可能な画像読取システムを提供する。【解決手段】画像読取システムは、ＰＣ３０の入力部３４から、スキャナ装置が原稿画像を読み取って送信する読取データの１つのファイルに含まれる原稿画像のページ数を入力すると、ウェブブラウザ３６が、該入力を受け付けて設定すると第１通信部３８を介してスキャナ装置に送信する。スキャナ装置では、読取部が読み取った原稿画像を、読取データ管理部が、設定された１ファイルに保存するページ数に従って原稿データを分割し、画像ファイルを再生成して第２通信部を介してＰＣ３０に送信する。ＰＣ３０では、ウェブブラウザ３６がモニタ３２上に受信したファイルの画像を表示する。【選択図】        図２
2007311915.tif 000002
【特許請求の範囲】
【請求項１】
情報処理装置、および、前記情報処理装置とネットワークを介して接続して前記情報処理装置から読み取り命令を受信して画像を読み取る読取装置、を備える画像読取システムであって、
前記情報処理装置は、
前記読取装置が原稿を読み取って１つのファイルに生成する該原稿ページ数を設定し、前記読取装置に送信する設定手段を、備え、
前記読取装置は、
複数ページの原稿を読み取って画像データを生成する読取手段と、
前記設定手段により設定され送信される前記原稿ページ数の情報を受信し、受信した前記原稿ページ数ごとに、前記読取手段によって読み取られた画像データを、１つのファイルに生成して、生成された該ページ数のファイルを、前記情報処理装置に送信する読取データ管理手段と、
を備えることを特徴とする画像読取システム。
【請求項２】
前記設定手段は、前記読取データ管理手段が、前記原稿の何ページを読み取った後に前記ファイルを送信するか設定する読み取り後の送信枚数を設定して送信し、
前記読取データ管理手段は、受信する前記読み取り後の送信枚数に従って、前記読み取った画像データを、前記情報処理装置に送信するものであることを特徴とする請求項１に記載の画像読取システム。
【請求項３】
前記情報処理装置は、受信する前記ファイルに含まれるページの画像を１つの画面で表示する表示手段を、さらに備えることを特徴とする請求項１または２に記載の画像読取システム。
【請求項４】
前記情報処理装置は、受信する前記ファイルを格納する保存手段を、さらに備えることを特徴とする請求項１〜３のいずれか１つに記載の画像読取システム。
【請求項５】
前記表示手段にウェブブラウザを表示するウェブブラウザ手段を、さらに備え、
前記設定手段は、前記ウェブブラウザ手段から前記１つのファイルに含まれる原稿ページ数、および前記読み取り後の送信枚数の設定を受け付けるものであることを特徴とする請求項２〜４のいずれか１つに記載の画像読取システム。
【請求項６】
前記読取装置は、原稿を自動的に搬送させる原稿搬送手段を、さらに備えることを特徴とする請求項１〜５のいずれか１つに記載の画像読取システム。
【請求項７】
前記原稿搬送手段で発生する紙詰まりを検出し、紙詰まり検出情報を前記情報処理装置に送信する紙詰まり検出手段を、さらに備え、
前記情報処理装置は、
前記表示手段は、前記紙詰まり検出情報を受信した場合、エラー表示するものであることを特徴とする請求項１〜６のいずれか１つに記載の画像読取システム。
【請求項８】
前記情報処理装置は、
前記紙詰まり検出情報を受信する場合、前記紙詰まり検出情報に従って、紙詰まり発生までに読み取った原稿データを廃棄する命令情報、および前記読み取った原稿データのページ分までを送信させる命令情報のうち、いずれかの指定を受け付けて前記読取装置に送信する紙詰まり対応手段を、さらに備えることを特徴とする請求項７に記載の画像読取システム。
【請求項９】
前記読取装置は、
前記搬送手段が複数ページ原稿を自動的に搬送できない場合、搬送エラー情報を前記情報処理装置に送信する搬送エラー検出手段を、さらに備え、
前記情報処理装置は、
前記表示手段は、搬送エラー情報を受信した場合、該エラー表示するものであることを特徴とする請求項６〜８のいずれか１つに記載の画像読取システム。
【請求項１０】
前記表示手段は、前記設定手段によって読み取りを設定した原稿のページ数と受信した原稿画像のページ数とが異なる場合、読み取りエラーを表示するものであることを特徴とする請求項３〜９のいずれか１つに記載の画像読取システム。
【請求項１１】
さらに、前記読取装置に前記ネットワークを介して接続し、前記読取手段が読み取った原稿データを記憶する記憶装置、を備えることを特徴とする請求項１〜１０のいずれか１つに記載の画像読取システム。
【請求項１２】
情報処理装置、および、前記情報処理装置とネットワークを介して接続して前記情報処理装置から読み取り命令を受信して画像を読み取る読取装置、を備える画像読取システムにおける画像読取方法であって、
前記情報処理装置の設定手段によって、前記読取装置が原稿を読み取って１つのファイルに生成する該原稿ページ数を設定し、前記読取装置に送信する設定工程と、
前記読取装置の読取手段によって、複数ページの原稿を読み取って画像データを生成する読取工程と、
読取データ管理手段によって、前記設定手段により設定され送信される前記原稿ページ数の情報を受信し、受信した前記原稿ページ数ごとに、前記読取手段によって読み取られた画像データを、１つのファイルに生成して、生成された該ページ数のファイルを、前記情報処理装置に送信する読取データ管理工程と、
を含むことを特徴とする画像読取方法。
【請求項１３】
請求項１２に記載の画像読取方法をコンピュータに実行させることを特徴とするプログラム。
【発明の詳細な説明】
【技術分野】
【０００１】
本発明は、画像読取システム、画像読取方法、およびその方法をコンピュータに実行させるプログラムに関するものである。
【背景技術】
【０００２】
パーソナルコンピュータ（ＰＣ）のウェブブラウザ（Ｗｅｂ  ｂｒｏｕｓｅｒ）上からスキャナ読み取りを指示して読み取るスキャナ装置が既に知られている。このような動作を、ここではウェブＳｃａｎと称する。例えば、特許文献１の技術によると、ＰＣからスキャナで読み取らせることができる。
【０００３】
同文献には、原稿から読み取った画像データをネットワーク接続された１又は複数の端末に送信するネットワークスキャナーについて開示されている。このネットワークスキャナー装置は、画像データの一部分をページ指定して指定部分のみ端末に送信できる。また端末からの返信によって画像データの残り部分を送信するか送信せずに削除するか選択が可能である。更に画像データが保存期限切れで削除される前の処理も指定できるので、画像データ送受信を繰り返す場合でも、通信負荷を抑えることができるとしている。
【０００４】
【特許文献１】特開２００４−１５８９９６号公報
【発明の開示】
【発明が解決しようとする課題】
【０００５】
しかしながら、特許文献１の技術によると、複数ページの原稿を読み取るための読み取り条件を設定する手段がなく、複数ページの原稿を自動的に搬送する場合には、ウェブブラウザを通してページ毎に読み取りを指示するしかできなかった。これは、特許文献１の技術によるネットワークスキャナー装置は、ページ数および残りのデータの処理などを事前に設定することによって、画像データの通信負荷を抑制している構成だったためである。
【０００６】
本発明は、上記の問題に鑑みてなされ、その目的は、情報処理装置から読取装置に対して、複数ページ原稿の読み取りについて設定を可能とし、エラーに際しても、読み取りおよび通信動作の無駄を省いた画像読取システム、画像読取方法、およびその方法をコンピュータに実行させるプログラムを提供することである。
【課題を解決するための手段】
【０００７】
上述した課題を解決し、目的を達成するために、請求項１にかかる発明は、情報処理装置、および、前記情報処理装置とネットワークを介して接続して前記情報処理装置から読み取り命令を受信して画像を読み取る読取装置、を備える画像読取システムであって、前記情報処理装置は、前記読取装置が原稿を読み取って１つのファイルに生成する該原稿ページ数を設定し、前記読取装置に送信する設定手段を、備え、前記読取装置は、複数ページの原稿を読み取って画像データを生成する読取手段と、前記設定手段により設定され送信される前記原稿ページ数の情報を受信し、受信した前記原稿ページ数ごとに、前記読取手段によって読み取られた画像データを、１つのファイルに生成して、生成された該ページ数のファイルを、前記情報処理装置に送信する読取データ管理手段と、を備えることを特徴とする。
【０００８】
請求項２にかかる発明は、請求項１に記載の画像読取システムにおいて、前記設定手段は、前記読取データ管理手段が、前記原稿の何ページを読み取った後に前記ファイルを送信するか設定する読み取り後の送信枚数を設定して送信し、前記読取データ管理手段は、受信する前記読み取り後の送信枚数に従って、前記読み取った画像データを、前記情報処理装置に送信するものであることを特徴とする。
【０００９】
請求項３にかかる発明は、請求項１または２に記載の画像読取システムにおいて、前記情報処理装置は、受信する前記ファイルに含まれるページの画像を１つの画面で表示する表示手段を、さらに備えることを特徴とする。
【００１０】
請求項４にかかる発明は、請求項１〜３のいずれか１つに記載の画像読取システムにおいて、前記情報処理装置は、受信する前記ファイルを格納する保存手段を、さらに備えることを特徴とする。
【００１１】
請求項５にかかる発明は、請求項２〜４のいずれか１つに記載の画像読取システムにおいて、前記表示手段にウェブブラウザを表示するウェブブラウザ手段を、さらに備え、前記設定手段は、前記ウェブブラウザ手段から前記１つのファイルに含まれる原稿ページ数、および前記読み取り後の送信枚数の設定を受け付けるものであることを特徴とする。
【００１２】
請求項６にかかる発明は、請求項１〜５のいずれか１つに記載の画像読取システムにおいて、前記読取装置は、原稿を自動的に搬送させる原稿搬送手段を、さらに備えることを特徴とする。
【００１３】
請求項７にかかる発明は、請求項１〜６のいずれか１つに記載の画像読取システムにおいて、前記原稿搬送手段で発生する紙詰まりを検出し、紙詰まり検出情報を前記情報処理装置に送信する紙詰まり検出手段を、さらに備え、前記情報処理装置は、前記表示手段は、前記紙詰まり検出情報を受信した場合、エラー表示するものであることを特徴とする。
【００１４】
請求項８にかかる発明は、請求項７に記載の画像読取システムにおいて、前記情報処理装置は、前記紙詰まり検出情報を受信する場合、前記紙詰まり検出情報に従って、紙詰まり発生までに読み取った原稿データを廃棄する命令情報、および前記読み取った原稿データのページ分までを送信させる命令情報のうち、いずれかの指定を受け付けて前記読取装置に送信する紙詰まり対応手段を、さらに備えることを特徴とする。
【００１５】
請求項９にかかる発明は、請求項６〜８のいずれか１つに記載の画像読取システムにおいて、前記読取装置は、前記搬送手段が複数ページ原稿を自動的に搬送できない場合、搬送エラー情報を前記情報処理装置に送信する搬送エラー検出手段を、さらに備え、前記情報処理装置は、前記表示手段は、搬送エラー情報を受信した場合、該エラー表示するものであることを特徴とする。
【００１６】
請求項１０にかかる発明は、請求項３〜９のいずれか１つに記載の画像読取システムにおいて、前記表示手段は、前記設定手段によって読み取りを設定した原稿のページ数と受信した原稿画像のページ数とが異なる場合、読み取りエラーを表示するものであることを特徴とする。
【００１７】
請求項１１にかかる発明は、請求項１〜１０のいずれか１つに記載の画像読取システムにおいて、さらに、前記読取装置に前記ネットワークを介して接続し、前記読取手段が読み取った原稿データを記憶する記憶装置、を備えることを特徴とする。
【００１８】
請求項１２にかかる発明は、情報処理装置、および、前記情報処理装置とネットワークを介して接続して前記情報処理装置から読み取り命令を受信して画像を読み取る読取装置、を備える画像読取システムにおける画像読取方法であって、前記情報処理装置の設定手段によって、前記読取装置が原稿を読み取って１つのファイルに生成する該原稿ページ数を設定し、前記読取装置に送信する設定工程と、前記読取装置の読取手段によって、複数ページの原稿を読み取って画像データを生成する読取工程と、読取データ管理手段によって、前記設定手段により設定され送信される前記原稿ページ数の情報を受信し、受信した前記原稿ページ数ごとに、前記読取手段によって読み取られた画像データを、１つのファイルに生成して、生成された該ページ数のファイルを、前記情報処理装置に送信する読取データ管理工程と、を含むことを特徴とする。
【００１９】
請求項１３にかかる発明は、プログラムにおいて、請求項１２に記載の画像読取方法をコンピュータに実行させることを特徴とする。
【発明の効果】
【００２０】
請求項１にかかる発明によれば、情報処理装置は、読取装置が原稿を読み取って１つのファイルに生成する該原稿ページ数を設定し、読取装置に送信し、読取装置は、設定手段により設定されて送信される原稿ページ数の情報を受信し、この原稿ページ数ごとに読み取られる画像データを１つのファイルに生成して情報処理装置に送信することによって、情報処理装置側で所定ページ数を設定して読取装置側に対して該所定ページ数からなるファイルを生成して送信させることができ、複数ページ原稿の読み取り設定によって通信効率の高い画像読取システムを提供することができるという効果を奏する。また、読取装置側でエラーが発生した場合には、読み取りエラー発生以後の原稿のみを読み取りさせれば良いので、読みとりエラーに際しても読み取りおよび通信動作の無駄を省いた画像読取システムを提供することができるという効果を奏する。
【００２１】
請求項２にかかる発明によれば、設定手段は、原稿の何ページを読み取った後にファイルを送信するか設定する読み取り後の送信枚数を設定して送信し、読取データ管理手段は、受信する読み取り後の送信枚数に従って、読み取った画像データを情報処理装置に送信することによって、複数ページ原稿の読み取り後の送信設定が可能であるので、通信効率の高い画像読取システムを提供できるという効果を奏する。
【００２２】
請求項３にかかる発明によれば、情報処理装置は、受信するファイルに含まれるページの画像を１つの画面で表示する表示手段を、さらに備えることによって、利便性の高い画像読取システムを提供できるという効果を奏する。
【００２３】
請求項４にかかる発明によれば、情報処理装置は、受信するファイルを格納する保存手段を備えるので、データの安全性の高い画像読取システムを提供できるという効果を奏する。
【００２４】
請求項５にかかる発明によれば、設定手段は、ウェブブラウザ手段から１つのファイルに含まれる原稿ページ数、および読み取り後の送信枚数の設定を受け付けるので、利便性の高い画像読取システムを提供できるという効果を奏する。
【００２５】
請求項６にかかる発明によれば、読取装置は、原稿を自動的に搬送させる原稿搬送手段を、さらに備えるので、利便性の高い画像読取システムを提供できるという効果を奏する。
【００２６】
請求項７にかかる発明によれば、原稿搬送手段での紙詰まり（ＪＡＭ）を検出して表示手段にエラー表示するので、データの安全性の高い画像読取システムを提供できるという効果を奏する。
【００２７】
請求項８にかかる発明によれば、情報処理装置は、紙詰まりが発生した場合は、紙詰まり発生までに読み取った原稿データを廃棄するか、送信させるかを指定できるので、無駄の少ない利便性の高い画像読取システムを提供できるという効果を奏する。
【００２８】
請求項９にかかる発明によれば、読取装置は、自動的に搬送エラーを検出して通知し、情報処理装置は搬送エラー情報を表示するので、データの状態が把握しやすい利便性の高い画像読取システムを提供できるという効果を奏する。
【００２９】
請求項１０にかかる発明によれば、表示手段は、設定した原稿のページ数と受信した原稿画像のページ数とが異なる場合、読み取りエラーを表示するので、読み取りが正確に行われたか否かを把握することができる利便性の高い画像読取システムを提供できるという効果を奏する。
【００３０】
請求項１１にかかる発明によれば、さらに、読取装置にネットワークを介して原稿データを記憶する記憶装置を備えるので、読み取りデータの安全性を高めることができる利便性の高い画像読取システムを提供できるという効果を奏する。
【００３１】
請求項１２にかかる発明によれば、情報処理装置は、読取装置が原稿を読み取って１つのファイルに生成する該原稿ページ数を設定し、読取装置に送信し、読取装置は、設定手段により設定されて送信される原稿ページ数の情報を受信し、この原稿ページ数ごとに読み取られる画像データを１つのファイルに生成して情報処理装置に送信することによって、情報処理装置側で所定ページ数を設定して読取装置側に対して該所定ページ数からなるファイルを生成して送信させることができ、複数ページ原稿の読み取り設定によって通信効率の高い画像読取方法を提供することができるという効果を奏する。また、読取装置側でエラーが発生した場合には、読み取りエラー発生以後の原稿のみを読み取りさせれば良いので、読みとりエラーに際しても読み取りおよび通信動作の無駄を省いた画像読取方法を提供することができるという効果を奏する。
【００３２】
請求項１３にかかる発明によれば、請求項１２に記載の画像読取方法をコンピュータに実行させることができるプログラムを提供することができるという効果を奏する。
【発明を実施するための最良の形態】
【００３３】
以下に添付図面を参照して、この発明にかかる画像読取システム、画像読取方法、およびその方法をコンピュータに実行させるプログラムの最良な実施の形態を、実施の形態１〜３、および変形例に沿って詳細に説明する。
【００３４】
（１．実施の形態１）
（１．１．全体構成）
実施の形態１による画像読取システムは、ＰＣ側から、スキャナ装置において読み取る複数ページの画像に関して、スキャナ装置から送信させる読取データの１つのファイルに含まれる原稿画像のページ数を設定して、スキャナ装置から送信させる。この構成によって、通信頻度と送信するファイルの大きさを自由に設定することができ、通信負荷を押さえることができる。
【００３５】
図１は、実施の形態１による画像読取システムの構成図である。スキャナ装置１０は、ＬＡＮなどのネットワーク２を介して、情報処理装置としてのパーソナルコンピュータ（ＰＣ）３０および３０’（以下、符号３０で代表させる）と通信可能に接続されている。
【００３６】
図２は、実施の形態１によるＰＣの機能的ブロック図である。ＰＣ３０は、表示装置としてのモニタ３２（図１も共通。ＰＣ３０’の場合は３２’）、操作者からの入力を受け付ける入力部３４、ハードディスク装置のような記憶部３５、ウェブブラウザ３６、および第１通信部３８を備える。ウェブブラウザ３６は、ハイパーテキストを解釈し、解釈した内容に応じて画面表示や、画面からの入力をハイパーテキストに変換などを行う。
【００３７】
ウェブブラウザ３６が立ち上げる画面から入力する設定としては、スキャナ装置１０のＩＰアドレス、原稿枚数、カラー・モノクロの指定、読取精度、原稿を何枚読み取った場合に送信するかの情報、およびＰＣ３０のＩＰアドレスなどである。この入力画面情報をネットワーク２上のＵＲＬで指定されるサーバ（不図示）に格納しておき、ウェブブラウザ３６から該ＵＲＬにアクセスし、ダウンロードして画面上に入力画面を表示し、入力部３４により入力を受け付ける構成とすることもできる。
【００３８】
スキャナ装置１０が読み取った原稿画像の画像データは、ネットワーク２を介してＰＣ３０に送信される。ＰＣ３０の第１通信部は、読み取られた画像データを受信し、ウェブブラウザ３６は画像データをモニタ３２でウェブブラウザ画面として表示する。この画像読取システムの利用者は、読み取りに関する設定（解像度、読み取りサイズ、濃度など）をウェブブラウザ画面を介して入力部３４から入力する。
【００３９】
図３は、スキャナ装置の機能的ブロック図である。スキャナ装置１０は、第２通信部１２、ウェブサービスサーバ１３、原稿搬送部１４、読取部１５、制御部１６、読取データ保存部１７、および読取データ管理部１８を備える。
【００４０】
第２通信部１２は、ネットワーク２を介してＰＣ３０とデータを送受信する。ウェブサービスサーバ１３は、ＰＣ３０へ、ＨＴＭＬ、ＸＭＬなどで記述される画面データのハイパーテキスト情報を生成して送信し、ＰＣ３０からの各種要求を受け付ける。ウェブサービスサーバ１３は、受け付けた各種の要求に応じて処理命令を、制御部１６および読取データ管理部１８に送信する。
【００４１】
原稿搬送部１４は、原稿台に載置された原稿を読取部１５に搬送する。原稿搬送部１４は、原稿検知センサ（不図示）を備え、原稿台に載置された原稿があるかないかを検知する。これによって、原稿搬送部１４は、全ての原稿が搬送された場合に、このことを検知することができる。
【００４２】
読取部１５は、ＣＣＤおよび光学系を備え、原稿搬送部１４から搬送された原稿を読み取り、デジタル画像データ生成する。画像データの読み取りは、ＰＣ３０から送信された解像度、読み取りサイズ、濃度などの設定に従って行われる。
【００４３】
制御部１６は、ウェブサービスサーバ１３からの命令を受け、読取部１５および原稿搬送部１４を制御する。
【００４４】
読取データ保存部１７は、ハードディスク装置などの記憶装置で構成され、読取部１５から読み取った原稿データを格納する。
【００４５】
読取データ管理部１８は、ウェブサービスサーバ１３からの命令を受け、読取データ保存部１７に格納されている原稿データに対して分割、廃棄、ファイル生成、フォーマット変換などの処理を施す。
【００４６】
（１．２．画像読み取り手順）
図４は、実施の形態１による画像読み取り手順を説明するフローチャートである。画像読取システムの利用者は、スキャナ装置１０の原稿搬送部１４に原稿をセットする。ＰＣ３０の操作者は、ウェブブラウザ３６を起動させて、読み取り指示画面を立ち上げ、解像度、読み取りサイズ、濃度、送信タイミング、ファイルフォーマットなどの読み取り指示を入力し、また、ウェブブラウザ３６上の表示方法およびレイアウトパターンを設定する。ウェブブラウザ３６は、画像読み取り設定の入力を待ち受け（ステップＳ１０１）、設定を受け付けた場合（ステップＳ１０１のＹｅｓ）、ウェブブラウザ３６は、読み取り指示をハイパーテキストに変換する。第１通信部３８は、ウェブブラウザ３６によって設定されてハイパーテキスト化された設定情報を、ネットワーク２を介してスキャナ装置１０に送信する。（ステップＳ１０２）。
【００４７】
スキャナ装置１０側では、第２通信部１２が、読み取り指示を含む通信データを受信し、読み取り指示を含むハイパーテキスト情報をウェブサービスサーバ１３に送信する。ウェブサービスサーバ１３はハイパーテキストを読み取り、指示に従って解釈し、解釈した指示を制御部１６に送信する（ステップＳ２０１）。
【００４８】
制御部１６が、読取部１５と原稿搬送部１４とを制御し、原稿一枚を読み取る。読取データ保存部１７は、読み取った原稿データを保存する（ステップＳ２０２）。
【００４９】
読取データ管理部１８は、読取データ保存部１７に保存された該１ページの原稿データを、指定されたフォーマットで画像ファイルに生成し、生成された画像ファイルを、再び読取データ保存部１７に保存する（ステップＳ２０３）。
【００５０】
制御部１６は、読み取ったデータの送信タイミングが、全ての原稿の読み取り終了時点に設定されているか否かを判定し（ステップＳ２０４）、全原稿を読み取り後に送信する設定であると判定した場合（ステップＳ２０４のＹｅｓ）、原稿搬送部１４は既述の原稿検知センサによって、原稿が残されているか否かを判定し（ステップＳ２０５）、残されていると判定した場合（ステップＳ２０５のＹｅｓ）、再びステップＳ２０２に戻る。
【００５１】
原稿搬送部１４が、全ての原稿を読み取ったと判定した場合（ステップＳ２０５のＮｏ）、ウェブサービスサーバ１３は、読取データ保存部１７に保存された複数の画像ファイルを、第２通信部１２を介して、ＰＣ３０に送信する（ステップＳ２０６）。
【００５２】
一方、ステップＳ２０４において、全ての原稿の読み取り終了時に送信する設定ではないと判定した場合（ステップＳ２０４のＮｏ）、即ち、この場合は読み取った原稿画像１枚ずつにおいて送信するものである。ウェブサービスサーバ１３は、読取データ保存部１７に保存された１つの画像ファイルを、第２通信部１２を介して、ＰＣ３０（ユーザＰＣなど）に送信する（ステップＳ２０７）。そして、原稿搬送部１４が、原稿搬送部１４に載置された原稿を全て読み取ったか否かを判定し（ステップＳ２０８）、未だ読み取っていないと判定した場合（ステップＳ２０８のＮｏ）、ステップＳ２０２に戻り、同様に１枚読み込んではユーザＰＣ３０に送信する動作を繰り返す。
【００５３】
ここで、全て読み込んでから送信する設定を示したが、所定の枚数だけ読み込んで、該所定の枚数を読み取ったごとに送信する構成とすることができる。
【００５４】
（１．３．効果）
このようにして、実施の形態１による画像読取システムでは、ＰＣ側から、スキャナ装置において読み取る複数ページの画像に関して、スキャナ装置から送信させる読取データの１つのファイルに含まれる原稿画像のページ数を設定して、スキャナ装置から送信させるので、通信頻度と送信するファイルの大きさを自由に設定することができ、通信負荷を押さえる画像読取システムを提供できる。
【００５５】
連続して読み取る複数ページを設定することによって、例えば、全て読み取ってから送る場合と、１枚読み取って１枚ごとに送る場合とを比較すると、前者は通信負荷を低減できるが、送信エラーが起きた場合のセキュリティが低い。後者は、通信負荷が高くなるが、送信エラーが起きた場合のファイル喪失が少ないので、セキュリティを高めることができる。
【００５６】
また、ＰＣ側の設定によって、スキャナ装置において読み取る複数ページの画像を、設定されたページ数で１まとまりの画像データとして生成させて送信させることができるので、柔軟に通信エラーに対して対策することができる。
【００５７】
このように、実施の形態による画像読取システムでは、受信するＰＣ側から、送信するスキャナ装置に対して、通信負荷と送信エラー時の安全性のバランスを取ることができる。
【００５８】
（２．実施の形態２）
実施の形態２による画像読取システムでは、スキャナ装置から送信される画像データを、異なるレイアウトで表示可能にしたことである。１ファイルを１つの画像として表示することもでき、一方、複数のファイルを１つの画像として表示することもできる。
【００５９】
図５は、実施の形態２による画像読取システムにおいて、ＰＣ側で受信したファイルを表示する一例を示す模式図である。表示５０１は、１つのブラウザ画面において、ファイル１〜３を重ねて表示したレイアウトである。ユーザインタフェース５０２を画面上でクリックすることによって、ファイル２、３を表す画像を顕現させることができる。表示５０２は、複数のファイルを１つのブラウザ画面上に表示したレイアウトである。表示５０３も、複数のファイルを１つのブラウザ画面上に表示したレイアウトであるが、表示５０２と異なる点は、ファイル１〜３のうち、一部だけが拡大されて表示され、他のファイルはドラッグすることによって順番に表れて表示させることである。
【００６０】
図６は、実施の形態２による画像読み取り手順を説明するフローチャートである。図４におけるステップＳ２０６、あるいはステップＳ２０７においては、スキャナ装置１０から、画像ファイルがＰＣ３０に送信され、ＰＣ３０はこれらの画像ファイルを受信する。
【００６１】
ＰＣ３０のウェブブラウザ３６は、ステップＳ１０１のＹｅｓにおいて設定されたウェブブラウザ上の表示モードが、１ファイル／１画面であるか否かを判定し（ステップＳ３０１）、１ファイル／１画面であると判定した場合は（ステップＳ３０１のＹｅｓ）、ウェブブラウザ３６は、新しいブラウザを立ち上げて１つの画像ファイルをこの新しいブラウザで表示する（ステップＳ３０２）。
【００６２】
一方、ウェブブラウザ３６が、１ファイル／１画面ではないと判定した場合（ステップＳ３０１のＮｏ）、すでに設定されているレイアウトパターンに従って、モニタ３２のブラウザ画面に１つの画像ファイルを表示する（ステップＳ３０３）。
【００６３】
このように、実施の形態２による画像読取システムでは、スキャナ装置から送信される画像データを、異なるレイアウトで表示可能にし、操作者が詳しく１具の画面で１つのファイルだけを見たい時も、１つの画面で複数のファイルを俯瞰的に見たい時にも対応して、詳細、あるいは俯瞰的なファイルの表示が可能となる。
【００６４】
（３．実施の形態３）
実施の形態３による画像読取システムが実施の形態１と異なる点は、ＰＣ側の設定によってスキャナ装置側から送信する１つのファイルに含めるページ数を設定し、スキャナ装置は設定されたページ数が含められたファイルを送信し、ＰＣ側は受信するファイルを既にブラウザから設定されたファイル名と場所に保存することである。
【００６５】
この構成によって、ＰＣ側から１つのファイルに含めるページ数、および該ページ数を含んだファイルを格納する場所を設定しておくので、ファイルと格納する場所を、後で設定することなく自動的に格納することができる。
【００６６】
図７は、実施の形態３による画像読み取り手順を説明するフローチャートである。ＰＣ３０側では、画像読取システムの利用者が、立ち上げたウェブブラウザの読み取り指示画面で、原稿ファイルの保存指示を設定し入力する。設定情報は、スキャナ装置１０においてページごとに保存するか、あるいは所定のページまで１つのファイルに保存するか、フォーマット形式、ファイル名、およびＰＣ３０で受信してからの格納場所などの情報である。
【００６７】
ウェブブラウザ３６が、これらの設定内容を受け付けたか否かを判定し（ステップＳ４０１）、受け付けた場合（ステップＳ４０１のＹｅｓ）、ウェブブラウザ３６は、受け付けた設定内容をハイパーテキストに変換する。この時、当然に、ファイルの保存指示情報もハイパーテキストに変換される。第１通信部３８は、ハイパーテキストに変換された情報を、ネットワーク２を介してスキャナ装置１０に送信する（ステップＳ４０２）。
【００６８】
スキャナ装置１０においては、第２通信部１２がウェブブラウザ３６によって設定された設定情報を受信し、ウェブサービスサーバ１３に保存指示を含むハイパーテキストを送信する。ウェブサービスサーバ１３は、ハイパーテキストの中から保存指示情報を解釈し、解釈した保存指示情報を読取データ管理部１８に送信する。読取データ管理部１８は、保存指示情報の中の保存方法がページ毎にファイルで保存するものであるか否かを判定する（ステップＳ５０１）。
【００６９】
読取データ管理部１８は、ページ毎にファイルで保存であると判定しない場合（ステップＳ５０１のＮｏ）、読取データ管理部１８は、図４のステップＳ２０２およびステップＳ２０３において読取データ保存部１７に保存された原稿データを分割し、すでに設定されている原稿ファイルの保存指示情報による所定のページ数の原稿データから、１つの画像ファイルを再生成する。そして、読取データ管理部１８は、生成された１つの画像ファイルを読取データ保存部１７に保存する（ステップＳ５０２）。第２通信部１２は、読取データ保存部１７に保存された１つの画像ファイルを、ＰＣ３０に送信する（ステップＳ５０３）。
【００７０】
この一方、読取データ管理部１８は、保存指示情報の中の保存方法が、１ページ毎に１ファイルで保存するものであると判定した場合（ステップＳ５０１のＹｅｓ）、読取データ管理部１８は、図４のステップＳ２０２およびステップＳ２０３において読取データ保存部１７に保存された原稿データを、ページごとに１つのファイルに再生成し、読取データ保存部１７に保存する（ステップＳ５０４）。そして、ウェブサービスサーバ１３は、読取データ保存部１７に保存されたこの場合は１ページ１画像の画像ファイルを、第２通信部１２を介して、ＰＣ３０に送信する（ステップＳ５０３）。
【００７１】
ＰＣ３０側では、第１通信部３８が送信された１頁分ごとの画像ファイルを受信し、ステップＳ４０１において既に指定されているファイル名、保存場所に従って、受信した画像ファイルをＰＣ３０の記憶部３５の該当する箇所に保存する（ステップＳ４０３）。
【００７２】
このように、実施の形態３による画像読取システムでは、ＰＣ側から１つのファイルに含めるページ数、および該ページ数を含んだファイルを格納する場所を設定しておくので、ファイルと格納する場所を、後で設定することなく自動的に格納することができる。
【００７３】
（４．変形例）
図８は、変形例によるスキャナ装置１０’の機能的ブロック図である。実施の形態１による画像読取システムは、幾つかの変形例が可能である。
【００７４】
ここで、原稿搬送部１４で発生する紙詰まりを検出し、紙詰まり検出情報をＰＣ３０に送信する紙詰まり検出部２１を、さらに備え、ＰＣ３０は、モニタ３２が、紙詰まり検出情報を受信した場合、エラー表示することが望ましい。これによって、ＰＣ３０側で、スキャナ装置１０’から離れていても紙詰まりが発生したことを表示することができるからである。
【００７５】
また、ここで、ＰＣ３０は、紙詰まり検出情報を受信する場合、ウェブブラウザ３６が、紙詰まり検出情報に従って、紙詰まり発生までに読み取った原稿データを廃棄する命令情報、および読み取った原稿データのページ分までを送信させる命令情報のうち、いずれかの指定を受け付け、第１通信部３８が、該受け付けた情報をスキャナ装置１０’に送信することが望ましい。
【００７６】
この場合、スキャナ装置１０’の読取データ管理部１８は、上記の命令情報を受信して、受信する命令情報に従って、読み取った原稿データを破棄したり、あるいは読み取った原稿データのページ分までを送信することが望ましい。これによって、エラー発生までに読み取ったデータが無駄にならず効率の良い画像読取システムとなるからである。
【００７７】
また、ここで、スキャナ装置１０’は、原稿搬送部１４が複数ページ原稿を自動的に搬送できない場合、搬送エラー情報をＰＣ３０に送信する搬送エラー検出部２２を、さらに備え、ＰＣ３０は、モニタ３２が、搬送エラー情報を受信した場合、該エラー表示することが望ましい。スキャナ装置１０における搬送エラー発生を、ＰＣ３０側で表示することができるからである。
【００７８】
また、ここで、ウェブブラウザ３６は、ウェブブラウザ３６によって読み取りを設定した原稿のページ数と受信した原稿画像のページ数とが異なる場合、読み取りエラーをモニタ３２に表示することが望ましい。読み取り設定と実際の受信ページ数とを比較することによってエラー発生を表示できるからである。
【００７９】
また、ここで、スキャナ装置１０’にネットワークを介して接続し、読取部１５が読み取った原稿データを記憶する記憶装置７０、を備えることが望ましい。これは、ハードディスクドライブなどの大容量の記憶装置で構成する。これによって、読み取った画像データを格納してデータのバックアップをとれるからである。
【００８０】
（５．ハードウェア構成など）
図９は、実施の形態による情報処理装置のハードウェア構成を示す図である。実施の形態による情報処理装置は、図９に示すように、ＣＰＵ（Central Processing Unit）２３０１などの制御装置と、ＲＯＭ（Read Only Memory）２３０２やＲＡＭ（Random Access Memory）２３０３などの記憶装置と、ＨＤＤ（Hard Disk Drive）、ＣＤ（Compact Disk）ドライブ装置等の外部記憶装置３５と、入力装置３４、表示装置（モニタ）３２と、通信Ｉ／Ｆ（第１通信部）３８と、これらを接続するバス２３０８を備えており、通常のコンピュータを利用したハードウェア構成となっている。
【００８１】
実施の形態による情報処理装置で実行される画像読取プログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録されて提供される。
【００８２】
また、実施の形態による情報処理装置で実行される画像読取プログラムを、インターネット等のネットワークに接続されたコンピュータ上に格納し、ネットワーク経由でダウンロードさせることにより提供するように構成しても良い。また、実施の形態による情報処理装置で実行される画像読取プログラムをインターネット等のネットワーク経由で提供または配布するように構成しても良い。また、実施の形態による画像読取プログラムを、ＲＯＭ等に予め組み込んで提供するように構成してもよい。
【００８３】
実施の形態による情報処理装置で実行される画像読取プログラムは、上述した各部（第１通信部、ウェブブラウザなど）を含むモジュール構成となっており、実際のハードウェアとしてはＣＰＵ（プロセッサ）が上記記憶媒体から画像読取プログラムを読み出して実行することにより上記各部が主記憶装置上にロードされ、第１通信部、ウェブブラウザなどが主記憶装置上に生成されるようになっている。
【００８４】
また、スキャナ装置１０も、読取部１５，原稿搬送部１４などを備える他は同様のハードウェア構成とすることもできる。即ち、第２通信部１２，ウェブサービスサーバ１３、原稿搬送部１４、読取部１５、制御部１６、読取データ保存部１７、および読取データ管理部１８などが上記と同様に主記憶装置上に生成される構成としても良く、あるいは回路でもって実施する構成とすることもできる。
【産業上の利用可能性】
【００８５】
以上のように、本発明にかかる画像読取システム、画像読取方法、およびその方法をコンピュータに実行させるプログラムは、画像読み取り技術に有用である。
【図面の簡単な説明】
【００８６】
【図１】実施の形態１による画像読取システムの構成図である。
【図２】実施の形態１によるＰＣの機能的ブロック図である。
【図３】スキャナ装置の機能的ブロック図である。
【図４】実施の形態１による画像読み取り手順を説明するフローチャートである。
【図５】実施の形態２による画像読取システムにおいて、ＰＣ側で受信したファイルを表示する一例を示す模式図である。
【図６】実施の形態２による画像読み取り手順を説明するフローチャートである。
【図７】実施の形態３による画像読み取り手順を説明するフローチャートである。
【図８】変形例によるスキャナ装置の機能的ブロック図である。
【図９】実施の形態による情報処理装置のハードウェア構成を示す図である。
【符号の説明】
【００８７】
２  ネットワーク
１０、１０’  スキャナ装置
１２  第２通信部
１３  ウェブサービスサーバ
１４  原稿搬送部
１５  読取部
１６  制御部
１７  読取データ保存部
１８  読取データ管理部
３０  ＰＣ
３２  モニタ
３４  入力部
３５  記憶部
３６  ウェブブラウザ
３８  第１通信部
【図１】
2007311915.tif 000003
【図２】
2007311915.tif 000004
【図３】
2007311915.tif 000005
【図４】
2007311915.tif 000006
【図５】
2007311915.tif 000007
【図６】
2007311915.tif 000008
【図７】
2007311915.tif 000009
【図８】
2007311915.tif 000010
【図９】
2007311915.tif 000011